(57)【要約】【課題】重量の重いシート読取装置（ＡＤＦ）を搭載した原稿読取装置において、分厚い原稿等をＢＯＯＫ読取をしても、照明装置の光が漏れず、原稿画像の背景を黒かぶりさせない原稿読取装置を提供する。【解決手段】シート読取装置（ＡＤＦ）を搭載した原稿読取装置において、圧板の傾きを検知する傾き検知センサと、圧板の傾きを調整するためのモーター、駆動系機構等により構成されている。【選択図】        図２
2006217483.tif 000002
【特許請求の範囲】
【請求項１】
本などの原稿を乗せることの出来る原稿台ガラスと、
前記原稿を押させつけるための圧板と、
圧板の傾きを出力する傾きセンサと、
前記圧板を支持する支持柱と、
前記支持柱を上下に移動させるためのモーター及び歯車等の機構とを備えることを特徴とする原稿読取装置。
【請求項２】
請求項１に記載の原稿読取装置において、
前記傾きセンサの出力を検知し、前記モーターを回転させることによって前記支持柱を上下することで、前記圧板の傾きを制御することを特徴とする原稿読取装置。
【発明の詳細な説明】
【技術分野】
【０００１】
従来、複写機は本や雑誌も複写できるように原稿台の搭載することでＢＯＯＫ読みを実現してきた。利用者は、本や雑誌、シート原稿を原稿台に乗せ、原稿台に取り付けられた圧板を上から被せることによって原稿読取装置が原稿を読み込むための照明装置の光が外に漏れないようしている。これは、利用者の目を保護するためでもあるが、原稿読取時に光が拡散してしまうと、光の反射してくる部分を白・反射してこない部分を黒であると認識しているため、光が拡散した部分は全て黒であると判断してしまうからである。
【０００２】
これに対し、最近の複写機に搭載されている原稿読取装置には、圧板にＡＤＦ装置を組み込んだものが多くなってきている。これは、シート原稿を連続的に読み込むことで、利用者が非常に便利に利用できるようになってきている。現在まで、これらシート原稿を連続的に読む装置の提案は多数出されており、特許文献１では、装置を小型化して利用者にとって使い易い構成のシート原稿読取装置（ＡＤＦ）が提案されている。
【特許文献１】特開平１１−３０１９１０号公報
【発明の開示】
【発明が解決しようとする課題】
【０００３】
しかし、ＡＤＦ装置付き圧板は、ＢＯＯＫ読取時に本・雑誌等の原稿の場合、少し圧板を開いた状態での原稿読取動作を行わなくてはならない。なぜなら、ＡＤＦ装置付きの圧板は重量が重く、利用者の力によっては、原稿台に対して水平を保つことはできないからである。
【０００４】
これに対して、原稿読取装置は強力な発光装置をもっており、強い光が漏れてきてしまう恐れがある。
【０００５】
また、圧板が原稿台に対して水平ではないため、原稿台から発行された光は圧板の裏側（白色部）で反射されずに拡散してしまう。このため、原稿以外の部分が黒くなってしまい、複写の場合、記録時にトナー使用量が増加してしまう。
【０００６】
本発明は、以上の点に着目して成されたもので、分厚い原稿等をＢＯＯＫ読取をしても、照明装置の光が漏れず、原稿画像の背景を黒かぶりさせない原稿読取装置を提供することを目的とする。
【課題を解決するための手段】
【０００７】
この発明は下記の構成を備えることにより上記課題を解決できるものである。
【０００８】
（１）本などの原稿を乗せることの出来る原稿台ガラスと、前記原稿を押させつけるための圧板と、圧板の傾きを出力する傾きセンサと、前記圧板を支持する支持柱と、前記支持柱を上下に移動させるためのモーター及び歯車等の機構とを備えることを特徴とする原稿読取装置。
【発明の効果】
【０００９】
本原稿読取装置を利用することで、本、雑誌等の分厚い原稿を原稿台に乗せて、ＢＯＯＫ読取を行うときでも、圧板が傾かないことで照明装置の光の拡散を防止し、ＣＣＤに光を受光させることができる。よって、分厚い原稿でも原稿以外の部分が黒くなってしまうことがなくなる。
【発明を実施するための最良の形態】
【００１０】
以下本発明を実施するための最良の形態を、実施例により詳しく説明する。
【実施例】
【００１１】
図２は、本発明の原稿読取装置である。
【００１２】
図２の２０１は、原稿読取装置に搭載されている圧板またはＡＤＦ装置である。
【００１３】
図２の２０２は、本など、利用者が複写を行おうとする対象物である。
【００１４】
図２の２０３は、原稿読取装置の原稿台ガラスである。
【００１５】
図２の２０４は、ＣＩＳ・ＣＣＤ等の読取部の光電変換装置及びＬＥＤ，キセノン管などの原稿照明用の発光装置である。
【００１６】
図２の２０５は、本原稿読取装置を構成する板金である。
【００１７】
図２の２０６は、圧板またはＡＤＦ装置２０１と本原稿読取装置の板金２０５とを接続するための柱である。
【００１８】
図２の２０７は、柱２０６と接続されており、２０６につけられた歯型との接続を利用してＡＤＦ２０１を上下に移動することのできるモーターである。
【００１９】
図２の２０８は、ＡＤＦ２０１の傾きを検知するための傾き検知センサである。
【００２０】
図２の２０９は、２０８の信号検知し、２０７の制御、ＣＣＤ２０４の読取制御を行う制御コントローラである。
【００２１】
図２の２１０は、モーター２０７の回転を２つの柱２０６の上下動作に伝達する歯車とベルトである。
【００２２】
図３は、本発明における複写機のコントロール装置である。
【００２３】
３０１は、複写機をコントロール中央処理装置である。
【００２４】
３０２は、コントロール装置のバスを制御するバスコントローラである。
【００２５】
３０３は、読取装置とのインタフェイス部である。
【００２６】
３０４は、記録部とのインタフェイス部である。
【００２７】
３０５は、操作パネル部のコントローラである。
【００２８】
３０６は、操作パネルに搭載されるＬＣＤのコントローラである。
【００２９】
３０７は、操作パネルである。
【００３０】
３０８は、ＬＣＤ（表示装置）である。
【００３１】
３０９は、ハードディスクを制御するハードディスクコントローラである。
【００３２】
３１０は、ハードディスクである。
【００３３】
３１１は、画像の一時蓄積等を行うメモリのメモリコントローラである。
【００３４】
３１２は、メモリである。
【００３５】
３１３は、図２に図示した原稿読取装置である。
【００３６】
３１４は、本コントロール部の画像処理コントローラである。
【００３７】
本発明の実施例を図４のフローチャートに沿って説明する。
【００３８】
利用者は、２０２のように厚みのある原稿画像、例えば本や雑誌等を原稿台に載せて操作パネルの３０７にあるコピーボタンを押下する。
【００３９】
コピーボタンが押下されると、操作パネルコントローラ３０５はＣＰＵ３０１にボタンが押下されたことを伝達する。
【００４０】
ＣＰＵでは、読取装置インタフェイスを通じて、先ずＡＤＦを利用したシート読取であるか、原稿台に載せられた原稿を読み取るＢＯＯＫ読取であるかの検知を行う。この時、シート読取であった場合、ＣＰＵ３０１はＡＤＦ２０１を動作させてシート読取を開始する。
【００４１】
ＢＯＯＫ読取であった場合、ＣＰＵ３０１は傾き検知センサ２０８の出力値を読取装置インタフェイスを通じて取得する。
【００４２】
このとき、ユーザーが仮に厚さ３０ｍｍの原稿（本・雑誌等）を載せていたと仮定する。この場合、２０１は少し開いている状態であるため、傾きセンサはマイナス方向の値（−３０）を出力する。読取部コントローラ２０９は、この情報をＣＰＵ３０１にインタフェイスを通じて転送を行う。
【００４３】
ＣＰＵ３０１は、この傾き値を調整するため、モーター２０７が柱２０６を３０ｍｍ分だけ上へ持ち上げるようにコントローラ２０９に支持をだす。
【００４４】
コントローラ２０９では、コントローラ上のモーター駆動回路等を利用し、モーター２０７に対して電流を流してモーターをコントロールする。ＣＰＵからの指示である３０ｍｍだけ２０６を上へ押し上げると、モーターの駆動を停止する。
【００４５】
動作終了後、ＣＰＵ３０１は再度傾きセンサ２０８の出力値を、コントローラ２０９を通じて読み取る。このとき、例えば出力値がプラス方向の値（＋５）であった場合、５ｍｍ分だけ反対方向に２０１が傾いてしまったことを示す。
【００４６】
そこで、ＣＰＵ３０１はこの傾きを調整するため、モーター２０７が柱２０６を５ｍｍ分だけ下に下がるように回転し、再度傾きセンサ２０８の出力値を取得する。
【００４７】
取得値が０または、前もって決められている誤差範囲内、例えば誤差２まで許容されている場合は、１、−１等の値だった場合、ＣＰＵ３０１はＡＤＦ２０１の傾きはゼロであると判定し、読取の開始を行う。
【００４８】
原稿読取が開始されると、コントローラ２０９は、２０４に対して照明装置の発光、ＣＣＤ等の光電変換素子の動作等を行い、原稿画像信号を出力し始める。
【００４９】
原稿画像が電子画像信号化されて３１３の原稿読取装置から出力されてくると、原稿読取装置インタフェイスを通して、いったんメモリ３１２またはＨＤＤ３１０等の一時記憶場所に格納される。
【００５０】
格納された電子画像データは、画像処理コントローラに伝送さる。
【００５１】
画像処理コントローラでは、原稿画像データに対して、複写の場合は記録用の画像処理を行い、記録用電子画像に適合した形に変換され、記録部インターフェイス３０４で転送される。
【図面の簡単な説明】
【００５２】
【図１】一般的なＡＤＦ付き原稿読取装置である。
【図２】本発明による原稿読取装置である。
【図３】複写機のコントロール部の構成ブロック図である。
【図４】本発明の実施例をフローチャート図に示したものである。
【符号の説明】
【００５３】
２０１  ＡＤＦ装置
２０２  原稿
２０３  原稿台ガラス
２０４  ＣＩＳ・照明装置
２０５  板金
２０６  支持柱
２０７  モーター
２０８  傾斜検知センサ
２０９  制御コントローラ
２１０  歯車
３０１  ＣＰＵ
３０２  バスコントローラ
３０３  読取装置インタフェイス部
３０４  記録部インタフェイス部
３０５  操作パネル部コントローラ
３０６  ＬＣＤコントローラ
３０７  操作パネル
３０８  ＬＣＤ（表示装置）
３０９  ハードディスクコントローラ
３１０  ハードディスク
３１１  メモリコントローラ
３１２  メモリ
３１３  原稿読取装置
３１４  画像処理コントローラ
【図１】
2006217483.tif 000003
【図２】
2006217483.tif 000004
【図３】
2006217483.tif 000005
【図４】
2006217483.tif 000006